(57)【要約】【課題】調理器本体に対する化粧カバーの取り付けを極力簡単に行うことができる組込み式の加熱調理器を提供する。【解決手段】組込み式の加熱調理器は、調理台の前面開口部おいて調理器本体２２の下方の下部隙間と側方の側部隙間とを前方から覆う化粧カバーを備える。化粧カバーは、調理器本体２２に対して手前側から押し込むことにより、係合機構４７によって当該調理器本体２２に係合保持される。【選択図】図３
2011112300.tif 000002
【特許請求の範囲】
【請求項１】
調理器本体の上面部にトッププレートを有し、調理台の天板に形成された天板開口部に組み込まれて、前記調理台の前面開口部から前記調理器本体の前面が覗く組込み式の加熱調理器であって、
前記調理器本体の外周縁部と前記前面開口部の内周壁部との間の隙間のうち、少なくとも前記調理器本体の下方の下部隙間または上方の上部隙間を前方から覆う化粧カバーと、
前記化粧カバーを、前記調理器本体に対して手前側から押し込むことにより前記調理器本体に係合保持させる係合機構とを備え、
前記化粧カバーは、前記調理器本体の側方に延びる形体をなし、前記係合機構によって係合保持されることで、前記調理器本体の下縁部または上縁部と側縁部とにわたって配置されることを特徴とする加熱調理器。
【請求項２】
前記化粧カバーは、
前記調理器本体の下縁部に配置され前記下部隙間を覆う下部カバーと、
前記下部カバーの端部に設けられ、前記隙間のうち前記調理器本体の側方の側部隙間を覆う側部カバーとを有し、
前記下部カバーの端部に前記側部カバーが予め取り付け固定され、これら下部カバーと側部カバーとが一体の状態で、前記調理器本体に対して前記係合機構により係合保持されることを特徴とする請求項１記載の加熱調理器。
【請求項３】
前記化粧カバーは、前記下部カバーの裏面に対して、前記側部カバーが前記下部カバーの裏面側から取り付けられる取付け構造を有することを特徴とする請求項２記載の加熱調理器。
【請求項４】
前記係合機構は、
前記調理器本体の側縁部に設けられた係合穴と
前記化粧カバーに設けられ、前記係合穴に係合可能な係合爪とを有して構成されていることを特徴とする請求項１乃至３の何れかに記載の加熱調理器。
【発明の詳細な説明】
【技術分野】
【０００１】
本発明は、調理器本体の上面部にトッププレートを有し、調理台の天板に形成された天板開口部に組み込まれて、その調理台の前面開口部から調理器本体の前面が覗く組込み式の加熱調理器に関する。
【背景技術】
【０００２】
従来より、例えば誘導加熱調理器等の加熱調理器を、組込み式のものとしてシステムキッチン等の調理台に組み込む場合、図６、図７に示すような構成が採用されている。
即ち、誘導加熱調理器１は、調理器本体２の上面部にトッププレート３を具備し、調理器本体２を、調理台４における天板４ａの開口部（図示せず）から内方に落とし込んで収容するようになっている。この場合、誘導加熱調理器１は、トッププレート３裏面側において天板４ａの開口周縁部で支持され、調理台４の前面開口部５から、調理器本体２前面部に配設されたロースタ部の扉６ａや加熱条件等を設定入力するための操作部（操作部ケース６ｂ）等が覗くようになっている。
【０００３】
この誘導加熱調理器１では、図７に示す調理台４の前面開口部５において、当該前面開口部５の内周壁部と調理器本体２の外周縁部との間に隙間７が生じることから、その隙間７を隠す化粧板８ａ，８ｂ，８ｃが配置される。具体的には、化粧カバーとして、調理器本体２の底面と前面開口部５の底壁５ｃとの間に生じる隙間７ｃを覆う横長な下部化粧板８ｃと、調理器本体２の左右の両側面部と前面開口部５の左右の側壁５ａ，５ｂとの間に生じる夫々の隙間７ａ，７ｂを覆う縦長な一対の側部化粧板８ａ，８ｂとが用意されている。そして、下部化粧板８ｃは、調理器本体２下部に螺子９により固定され、側部化粧板８ａ，８ｂは、調理器本体２の両側部に図示しない螺子により夫々固定される。その後、調理器本体２前面部に、ロースタ部の扉６ａや操作部ケース６ｂ等が取着されることとなる。
【０００４】
尚、特許文献１には、調理器本体の外周縁部に、上記のような隙間を隠す化粧板としての飾り金具を配した加熱調理器が開示されている（例えば特許文献１参照）。
【先行技術文献】
【特許文献】
【０００５】
【特許文献１】特開２００５−１３３９８９号公報
【発明の概要】
【発明が解決しようとする課題】
【０００６】
上記の誘導加熱調理器１にあっては、調理器本体２に側部化粧板８ａ，８ｂを取り付けた状態で出荷される。このため、誘導加熱調理器１を調理台４に組み込む際、側部化粧板８ａ，８ｂを一旦取り外し、調理器本体２を天板４ａの開口部に落とし込んで下部化粧板８ｃを取り付けた後、再び側部化粧板８ａ，８ｂを取り付けることとなり、煩雑な作業を余儀なくされていた。また、この取り付け時において、下部化粧板８ｃと一対の側部化粧板８ａ，８ｂとを、夫々工具操作により、調理器本体２に対して螺子止めしなければならず、面倒である。
【０００７】
本発明は、上記の課題に鑑みてなされたものであり、その目的は、調理器本体に対する化粧カバーの取り付けを極力簡単に行うことができる組込み式の加熱調理器を提供することである。
【課題を解決するための手段】
【０００８】
上記目的を達成するために、本発明の加熱調理器は、調理器本体の上面部にトッププレートを有し、調理台の天板に形成された天板開口部に組み込まれて、前記調理台の前面開口部から前記調理器本体の前面が覗く組込み式のものであり、前記調理器本体の外周縁部と前記前面開口部の内周壁部との間の隙間のうち、少なくとも前記調理器本体の下方の下部隙間または上方の上部隙間を前方から覆う化粧カバーと、前記化粧カバーを、前記調理器本体に対して手前側から押し込むことにより前記調理器本体に係合保持させる係合機構とを備え、前記化粧カバーは、前記調理器本体の側方に延びる形体をなし、前記係合機構によって係合保持されることで、前記調理器本体の下縁部または上縁部と側縁部とにわたって配置されることを特徴とする。
【発明の効果】
【０００９】
上記構成において、化粧カバーは、調理器本体に対し手前側から押し込まれることにより係合機構によって係合する。つまり、化粧カバーの調理器本体に対する取り付けを、工具を用いることなく、化粧カバーの押し込み操作により行うことができる。また、化粧カバーは調理器本体の側方に延びる形体をなすため、当該化粧カバーによって、調理台の前面開口部における下部隙間または上部隙間のみならず、調理器本体の側方の側部隙間をも覆うことができる。従って、従来のように調理器本体に対して、下部化粧板と側部化粧板とを各別に取り付ける必要がなく、総じて化粧カバーの取り付けを極力簡単に行うことができる。
【図面の簡単な説明】
【００１０】
【図１】本発明を誘導加熱調理器に適用した一実施形態を示すもので、調理台内部に組み込む前の状態を示す全体構成の斜視図
【図２】調理器本体に対して、前方から取り付けられる各部材の斜視図
【図３】調理器本体の右側前部を拡大して示す斜視図
【図４】調理器本体の左側前部を拡大して示す斜視図
【図５】係合穴に係合爪が係合した状態での拡大断面図
【図６】従来の加熱調理器を調理台に組み込んだ状態の外観斜視図
【図７】従来の加熱調理器を組み込む途中の状態で示す図６相当図
【発明を実施するための形態】
【００１１】
以下、本発明を調理台に組み込まれるビルトインタイプの誘導加熱調理器に適用した一実施形態につき図１〜図５を参照しながら説明する。
図１において、先ず調理台１１は、例えば、システムキッチンの一部分を構成するものであり、調理台本体１２とこの調理台本体１２の上面部に設けられた天板１３とからなる。調理台本体１２は、例えばその下端部の台輪１６と左右の側板１４，１５と後板（図示せず）とを備えており、側板１４，１５間には、仕切り板１７により上下に区画された収容空間部Ｓと収納庫１８とが形成されている。収納庫１８は、前面部が開口する箱状部をなし、この箱状部の前面開口部を開閉する観音開き式の扉１８ａ、１８ｂを備えている。収容空間部Ｓは、前面が開放された前面開口部２０を有し、且つ左右の側板１４，１５、天板１３、仕切り板１７及び前記後板に囲まれている。この空間部Ｓには、誘導加熱調理器が収容されるように配置されている。
【００１２】
当該誘導加熱調理器（以下、単に加熱調理器２１と記す）は、上面が開口した矩形箱状をなす調理器本体２２と、この調理器本体２２の上面を覆うように装着されるトッププレート２３とを備えている。図１に示すように、天板１３には、矩形状の開口部１３ａが形成されていて、当該天板開口部１３ａに調理器本体２２部分が落し込まれることにより、加熱調理器２１がトッププレート２３の裏面側において天板１３の開口部１３ａ周縁で係止されている。これにより、加熱調理器２１は、調理台１１の天板１３に対して所謂懸架状態で支持され、調理台１１の前面開口部２０に調理器本体２２の前面部２２ａが臨む状態となる。
【００１３】
調理器本体２２は、後述する加熱手段や空冷手段（何れも図示せず）を内蔵すると共に、その正面である前面部２２ａには、例えば、一方側たる左半部に位置して、ロースタ手段２４用の開口２４ａが設けられ、他方側たる右半部に位置して、操作パネル部２６が設けられている。具体的には、ロースタ手段２４は、例えば調理器本体２２の左側部（図４参照）におけるケーシング２４ｂ内に図示しないロースタ用ヒータを備えており、そのケーシング２４ｂに引出しユニット２５（図２参照）が出し入れ可能に設けられる。引出しユニット２５は前面開口２４ａを覆う扉２５ａを有し、図示しない焼き網や受け皿が取り付けられる。他方、操作パネル部２６には、電源スイッチ２６ａ（図３参照）が設けられると共に、調理のための条件設定や各加熱手段をコントロールするための各種の操作部、及び各運転状態等を表示するための各種の表示部を備えたカンガルー式操作部（何れも図示せず）等が配設されている。操作パネル部２６には、その前面側に後述する操作部用カバー２７が取り付けられる。
【００１４】
加熱調理器２１の上面を構成するトッププレート２３は、例えば透明な耐熱強化ガラス製にて平坦な矩形板状に形成されている。トッププレート２３の上面には、例えば図１中、円形枠線で示す３箇所に、図示しない被加熱調理器具を加熱するに好適とする載置部を指示する加熱部２８，２９，３０を印刷表示している。そのうち、前方左右の２箇所の加熱部２８，２９は、例えば、調理器本体２２内に設けられた加熱手段たる誘導加熱コイル（図示せず）により被加熱調理器を加熱可能としている。また、後方中央に位置する加熱部３０は、例えば、ラジエントヒータ（図示せず）によって、被加熱調理器具をトッププレート２３を介して加熱可能としており、所謂三つ口コンロを形成している。また、トッププレート２３の後方部位には、右側及び左側に吸気用及び排気用の開口部（図示せず）が設けられ、両開口部は、多数の通気孔（図示せず）を有するカバー部材２３ａにより覆われている。尚、前記加熱手段としては、ロースタ用ヒータ、誘導加熱コイル及びラジエントヒータ以外の加熱手段を備えていてもよく、これら他の加熱手段については図示および説明を省略する。
【００１５】
さて、本実施形態の加熱調理器２１は、前記懸架状態で収容空間部Ｓ（前面開口部２０）の内周壁部と調理器本体２２の外周縁部との間の隙間を前方から覆うための化粧カバー３１を備える。この化粧カバー３１について、図２〜図５も参照しながら説明する。尚、図１には、前記懸架状態での前面部２２ａを２点鎖線で示すと共に、前面開口部２０における前記の隙間を符号Ｓ１，Ｓ２ａ，Ｓ２ｂで示している。
【００１６】
化粧カバー３１は、調理器本体２２の底部と前面開口部２０の底壁２０ｃ（図１参照）との間の下部隙間Ｓ１を覆う下部カバー３２と、調理器本体２２の左右の側面部と前面開口部２０の左右の側壁２０ａ，２０ｂとの間の夫々の側部隙間Ｓ２ａ，Ｓ２ｂを覆う一対の側部カバー３３ａ，３３ｂとを有する。下部カバー３２（下部化粧板）は、例えば金属材料からなり、調理器本体２２における前面部２２ａの下縁部に沿う横長な長尺板状をなしている。図３、図４に示すように、下部カバー３２の背面たる後面部には、左右両側部に位置して、側部カバー３３ａ，３３ｂを後方から取り付けるための第１被取付け部３２ａ，３２ｂが形成されている。詳細には、下部カバー３２左端部の裏面は、図４中、破線で示す第１被取付け部３２ａとされ、当該取付け部３２ａに当該裏面から螺子穴部３４ａが形成されている。下部カバー３２右端部においても左端部と同様、裏面に図３中、破線で示す第１被取付け部３２ｂが設けられると共に、螺子穴部３４ｂが形成されている。詳しい図示は省略するが、これら第１被取付け部３２ａ，３２ｂは、下部カバー３２の裏面に対して側部カバー３３ａ，３３ｂの裏面が面一になるように前方へ窪む凹状をなす。尚、下部カバー３２裏面と第１被取付け部３２ａ，３２ｂとが面一（平坦）であってもよい。
【００１７】
側部カバー３３ａ，３３ｂは、例えば金属材料からなり、調理器本体２２の前面部２２ａにおける左右の側面部（側縁部）に沿う縦長な形状をなしている。これら側部カバー３３ａ，３３ｂ（側部化粧板）は、図３、図４に示すように、互いに略左右対称の構造をなし、その余の構成は略同一であることから、主として右側の側部カバー３３ｂについて図３を参照しながら説明する。
【００１８】
側部カバー３３ｂは、右方の側部隙間Ｓ２ｂを前側から覆う前板部３５と、前板部３５の左側部にて後方へ折曲げられた側板部３６とを備え、一枚の金属板から屈曲形成されている。前板部３５の下端部には、螺子４１が貫通する螺子用孔部３７が形成されており、前板部３５の下端部は、第１被取付け部３２ｂに対応する第１取付け部とされている。側板部３６には、略短冊状をなして後方に延びる３つの延出片３８，３９，４０が一体に設けられている。これら延出片３８〜４０は、側板部３６の上下方向において互いに略等間隔をなすように形成されている。このうち、上下の延出片３８，４０は、夫々の先端部に、当該先端を外側（図３中、右側）に「レ」字状に折り返すようにして形成された係合爪３８ａ，４０ａを有する。また、延出片３８，４０には、その延出する方向（前後方向）に延びる突条部３８ｂ，４０ｂが夫々設けられている。突条部３８ｂ，４０ｂは、後述する係合穴４２，４３に延出片３８，４０が挿通された状態（図５参照）において、側部カバー３３ｂのガタつきを防止すべく、図５中、左側へ（調理器本体２２における左右方向の中央側へ）突出するように形成されている。上下の延出片３８，４０の略中間に位置する延出片３９には、前記中央側へ突出する嵌合凸部３９ａが形成されている。
【００１９】
図４に示すように、左側の側部カバー３３ａは、左側の隙間Ｓ２ａを前側から覆う前板部３５´と、前板部３５´の右側部にて後方へ折曲げられた側板部３６´とを備えている。この側部カバー３３ａについて、右側の側部カバー３３ａと対称的構造をなす部分に同一符号を付して簡単に説明するに、前板部３５´の下端部は、螺子４１が貫通する螺子用孔部３７が形成された、第１被取付け部３２ａに対応する第１取付け部とされている。側板部３６´における３つの延出片３８，３９，４０のうち、上下の延出片３８，４０には、前述のように「レ」字状に切り起こされた係合爪３８ａ，４０ａが形成されている。また、延出片３８，４０には、前記中央側へ突出する突条部３８ｂ，４０ｂが形成され、延出片３９には、同方向へ突出する嵌合凸部３９ａが形成されている。上記側部カバー３３ａ，３３ｂにおける延出片３８〜４０は夫々、第２取付け部を構成する。
【００２０】
一方、調理器本体２２の前面部２２ａにおける左右両端部には、例えば金属板から形成され、左右で対称的な構造をなす一対の第２被取付け部４５ａ，４５ｂが設けられている。図３に示すように、右側の第２被取付け部４５ｂは、側部カバー３３ｂの延出片３８〜４０に夫々対応する位置に設けられ、プレス加工乃至切欠き加工により形成された上下一対の係合穴４２，４３と嵌合凹部４４とを有する。図５に示すように、第２被取付け部４５ｂの上側の係合穴４２は、前後方向に貫通すると共に正面視にて台形枠状に形成され、延出片３８の係合爪３８ａの挿通を許容するように構成されている。また、係合穴４２の上下両側部４６、４６は前記中央側が拡開する「ハ」字状をなし、突条部３８ｂによって、延出片３８の上下両端部と当接するため、側部カバー３３ｂのガタつきが防止されるようになっている。下側の係合穴４３も、係合穴４２と同様に、延出片４０の係合爪４０ａの挿通を許容する台形枠状に形成されている。第２被取付け部４５ｂには、係合穴４２，４３の中間部に位置して嵌合凹部４４が形成されている。嵌合凹部４４は、前記中央側へ窪む形状をなしており、当該嵌合凹部４４に嵌合凸部３９ａが嵌合解除可能に嵌合する。
【００２１】
図４に示すように、左側の第２被取付け部４５ａは、上記第２被取付け部４５ｂと対称的な構造をなし、側部カバー３３ａの延出片３８〜４０に夫々対応する位置に設けられた係合穴４２，４３と嵌合凹部４４とを有する（図４参照）。そして、左右の第２被取付け部４５ａ，４５ｂの夫々の係合穴４２，４３に対し、側部カバー３３ａ，３３ｂの夫々の係合爪３８ａ，４０ａが挿通される。この場合、当該係合穴４２，４３の後端部に対して、係合爪３８ａ，４０ａが夫々係合することにより、側部カバー３３ａ，３３ｂが抜け止め保持される。また、側部カバー３３ａ，３３ｂは自身の可撓性（乃至弾性）により、左右の延出片３８〜４０が夫々板ばねの如く機能する。このため、係合爪３８ａ，４０ａが係合穴４２，４３に係止された位置で、嵌合凹部４４に嵌合凸部３９ａが嵌合することにより、側部カバー３３ａ，３３ｂが調理器本体２２に対して確実に保持される。更に、この場合、係合穴４２，４３において、延出片３８，４０は、前述のように突条部３８ｂ，４０ｂによってガタつきが防止されるように係合する。上記側部カバー３３ａ，３３ｂにおける係合爪３８ａ，４０ａ、突条部３８ｂ，４０ｂ、嵌合凸部３９ａを有する夫々の延出片３８〜４０、並びに第２被取付け部４５ａ，４５ｂにおける夫々の係合穴４２，４３、嵌合凹部４４は、本発明の係合機構４７を構成する。
【００２２】
図２に示すように、操作パネル部２６には、操作部用カバー２７が前方から取り付けられる。操作部用カバー２７は、操作パネル部２６の前面部と側部カバー３３ｂの前板部３５とを覆う形状をなし、当該カバー２７の横寸法Ｌ１は操作パネル部２６の横寸法Ｌ２よりも大きく設定されている（Ｌ１＞Ｌ２）。尚、図示は省略するが、操作パネル部２６に取り付けた操作部用カバー２７において、電源スイッチ２６ａの操作部が露出するようになっている。
【００２３】
続いて、上記構成の加熱調理器２１を調理台１１に組み込む場合の手順について説明する。
先ず、予め下部カバー３２の裏面に対して、左右一対の側部カバー３３ａ，３３ｂが後方から取り付けられる。この場合、左側の側部カバー３３ａの螺子用孔部３７に挿通された螺子４１が下部カバー３２の螺子穴部３４ａに螺挿されると共に、右側の側部カバー３３ｂの螺子用孔部３７に挿通された螺子４１が下部カバー３２の螺子穴部３４ｂに螺挿されることにより、下部カバー３２に側部カバー３３ａ，３３ｂが取り付け固定される。これにより、化粧カバー３１は、図２に示すように下部カバー３２と側部カバー３３ａ，３３ｂとが一体の状態となる。また、取付け手段たる螺子４１（或は両カバー３２，３３ａ，３３ｂの接合部）は下部カバー３２の裏面に位置し、化粧カバー３１において露出しないため、外観を損なうことがない。
【００２４】
そして、加熱調理器２１は、天板１３に対して、開口部１３ａに調理器本体２２部分が落し込まれることにより、トッププレート２３の裏面側において天板１３の開口部１３ａ周縁で係止される。こうして、加熱調理器２１は、調理台１１の天板１３に対して所謂懸架状態で設置され、調理台１１の前面開口部２０に調理器本体２２の前面部２２ａが臨む（覗く）状態となる。この状態で、調理器本体２２の外周縁部における下部隙間Ｓ１と側部隙間Ｓ２ａ，Ｓ２ｂとを前側から覆うべく、化粧カバー３１が調理器本体２２に取り付けられる。この化粧カバー３１取り付けは、単に、左右の係合爪３８ａ，４０ａを係合穴４２，４３に対し調理器本体２２の左右両側面に沿うようにして手前側から押し込むことにより行われる。
【００２５】
詳細には、化粧カバー３１における左右の側部カバー３３ａ，３３ｂの夫々の係合爪３８ａ，４０ａを、調理器本体２２における左右の係合穴４２，４３に対し滑り込ませるようにして後方へ差し込む。この場合、延出片３８，４０は、係合穴４２，４３内にてガイドされるようにして差し込まれ、係合爪３８ａ，４０ａがその可撓性により係合穴４２，４３の後端部に嵌り込み、嵌合凹部４４に嵌合凸部３９ａが嵌合する。これにより、化粧カバー３１は、下部隙間Ｓ１と側部隙間Ｓ２ａ，Ｓ２ｂとを覆うように配置されると共に、係合機構４７によって、調理器本体２２に抜け止め保持される。また、この取り付けによって、延出片３８，４０は、係合穴４２，４３に対して突条部３８ｂ，４０ｂによりガタつかないように係合するため、化粧カバー３１は安定して保持されることとなる。
【００２６】
この後、図２に示すように、操作パネル部２６に対し操作部用カバー２７が前方から取り付けられる。この操作部用カバー２７の取り付けによって、操作パネル部２６の前面部のみならず側部カバー３３ｂの前板部３５を覆うため、化粧カバー３１と相俟って、調理器本体２２前部における外観意匠性を高めることができる。また、調理器本体２２のケーシング２４ｂ内に引出しユニット２５が前方から収容されるようにして配置される。
【００２７】
尚、化粧カバー３１を調理器本体２２から取り外す際には、下部カバー３２の左右方向における中間部を手前側に若干、撓ませるようにして弾性変形させる。これにより、係合爪３８ａ，４０ａの係合状態が解除されると共に嵌合凸部３９ａの嵌合状態が解除されるため、そのまま化粧カバー３１を引き抜くようにして取り外すことができる。従って、化粧カバー３１の調理器本体２２に対する着脱は、工具を用いることなく極力簡単に行うことができる。
【００２８】
以上説明したように、本実施形態の加熱調理器２１は、化粧カバー３１を、調理器本体２２に対して手前側から押し込むことにより調理器本体２２に係合保持させる係合機構４７を備え、化粧カバー３１は、調理器本体２２の側方に延びる形体をなし、係合機構４７によって係合保持されることで、調理器本体２２の下縁部と側縁部とにわたって配置される。これによれば、化粧カバー３１は、調理器本体２２に対し手前側から押し込むことにより係合機構４７によって係合する。つまり、化粧カバー３１の調理器本体２２に対する取り付けを、工具を用いることなく、化粧カバー３１の押し込み操作により行うことができる。また、化粧カバー３１は、調理器本体２２の側方に延びる形体をなすため、当該化粧カバー３１によって、下部隙間Ｓ１のみならず側部隙間Ｓ２ａ，Ｓ２ｂをも覆うことができる。従って、従来のように調理器本体に対して下部化粧板と側部化粧板とを各別に取り付ける必要がなく、総じて化粧カバー３１の取り付けを極力簡単に行うことができる。
【００２９】
化粧カバー３１は、調理器本体２２の下縁部に配置され下部隙間Ｓ１を覆う下部カバー３２と、下部カバー３２の端部に設けられ側部隙間Ｓ２ａ，Ｓ２ｂを覆う側部カバー３３ａ，３３ｂとを有し、下部カバー３２の端部に側部カバー３３ａ，３３ｂが予め取り付け固定され、これら下部カバー３２と側部カバー３３ａ，３３ｂとが一体の状態で、調理器本体２２に対して係合機構４７により係合保持される。これによれば、下部カバー３２と側部カバー３３ａ，３３ｂとにより、下部隙間Ｓ１と側部隙間Ｓ２ａ，Ｓ２ｂとを覆うことができる。また、これらカバー３２，３３ａ，３３ｂを一体的な化粧カバー３１として、１回の押し込み操作により調理器本体２２に容易に取り付けることができる。
【００３０】
化粧カバー３１は、下部カバー３２の裏面に対して、側部カバー３３ａ，３３ｂが下部カバー３２の裏面側から取り付けられる取付け構造を有する。これによれば、螺子４１等の取付け手段や両カバー３２，３３ａ，３３ｂの接合部は下部カバー３２の裏面に位置し、化粧カバー３１において露出しないため、化粧カバー３１の外観意匠性を損なわない取付け構造とすることができる。
【００３１】
係合機構４７は、調理器本体２２の側縁部に設けられた係合穴４２，４３と、化粧カバー３１（側部カバー３３ａ，３３ｂ）に設けられ、係合穴４２，４３に係合可能な係合爪３８ａ，４０ａとを有する。これによれば、係合穴４２，４３と係合爪３８ａ，４０ａとの係合により化粧カバー３１を位置決めすることができ、化粧カバー３１を簡単且つ円滑に着脱することができる。また、本実施形態では、延出片３８，４０の自由端部に係合爪３８ａ，４０ａを夫々設けたので、係合機構４７の構成の簡単化を図ることができる。
【００３２】
本発明は、上記実施形態の誘導加熱調理器に限定されるものではなく、調理台の前面開口部から調理器本体の前面が覗く組込み式の加熱調理器全般に適用できるものである。化粧カバー３１を、下部カバー３２と側部カバー３３ａ，３３ｂとから構成したが、これらカバー３２，３３ａ，３３ｂ全部を１枚の板材から形成された「コ」字状をなす１つの部材で構成してもよい。また、下部カバー３２や側部カバー３３ａ，３３ｂの他、調理器本体の上方の上部隙間を覆う上部カバーを用いるようにしてもよい。
【００３３】
調理器本体２２の前面部２２ａにおいて、左側にロースタ手段２４の扉２５ａ、右側に操作パネル部２６（操作部用カバー２７）を配置したが、これに限定するものではない。即ち、調理器本体２２の前面部における配置構成は、左側を操作パネル部２６、右側をロースタ手段２４の扉２５ａとし、或は他の配置構成を採用する等、適宜変更してもよい。また、係合機構４７は、化粧カバー３１を、調理器本体２２に対して手前側から押し込むことにより調理器本体２２に係合保持させるものであればよく、延出片３８〜４０や係合穴４２，４３の形状等、適宜変更してもよい。例えば、図５中、延出片３８の上端部或は下端部に外側（左側）へ傾く折曲部（図示せず）を形成する。この折曲部によって延出片３８の係合穴４２に対する装着性を向上させ、ガタつきを防止することができる。
【符号の説明】
【００３４】
図面中、１１は調理台、１３ａは天板開口部、１３は天板、２０は前面開口部、２０ａは右側壁（壁部）、２０ｂは左側壁（壁部）、２０ｃは底壁（壁部）、２１は加熱調理器、２２は調理器本体、２３はトッププレート、３１は化粧カバー、３２は下部カバー、３３ａ，３３ｂは側部カバー、３８ａ，４０ａは係合爪、４２，４３は係合穴を示す。
【図１】
2011112300.tif 000003
【図２】
2011112300.tif 000004
【図３】
2011112300.tif 000005
【図４】
2011112300.tif 000006
【図５】
2011112300.tif 000007
【図６】
2011112300.tif 000008
【図７】
2011112300.tif 000009